(57)【要約】【課題】袋体注出部の素材を利用して注ぎ口の開口通路を立体的に保持する。【解決手段】周囲縁辺を密閉した袋体の注ぎ口部を構成する２枚の注ぎ口フイルム間の軸方向に緊張支持フイルムを挟み、注ぎ口フイルムを外側に撓ませて緊張支持フイルムとの間に中空部を形成して２枚の注ぎ口フイルムと緊張支持フイルムの左右縁辺を一体に溶着し、注ぎ口部先端を切り取ったときに注ぎ口フイルムと緊張支持フイルム間に開口通路が保持されるようにする。この注ぎ口を形成する際は、注ぎ口フイルム間軸方向に緊張支持フイルムを介在させるとともに、注ぎ口フイルムを吸引して緊張支持フイルムとの間に撓みを形成し、この状態で２枚の注ぎ口フイルムと緊張支持フイルムの縁辺を溶着する。【選択図】図２
2006076634.tif 000002
【特許請求の範囲】
【請求項１】
表裏の袋用フイルムを重ね合わせて周囲縁辺を袋体に密閉し、縁辺の一部に、先端を切り取って注ぎ口を形成する流体フイルムパッケージの注ぎ口であって、注ぎ口部を構成する２枚のフイルム間の軸方向に緊張支持フイルムを挟み、少なくとも一方のフイルムを外側に撓ませて緊張支持フイルムとの間に中空部を形成して２枚のフイルムと緊張支持フイルムの左右縁辺を一体に溶着し、注ぎ口部先端を切り取ったときに注ぎ口フイルムと緊張支持フイルム間に開口通路が保持されるようにしたことを特徴とする流体収納袋体の注ぎ口構造
【請求項２】
表裏の袋用フイルムを重ね合わせて周囲縁辺を袋体に密閉し、縁辺の一部に先端を切り取ったときに開口通路を保持した注ぎ口を形成する方法において、注ぎ口を構成する２枚のフイルム間軸方向に緊張支持フイルムを介在させるとともに、２枚のフイルムの少なくとも一方を吸引して緊張支持フイルムとの間に撓みを形成し、この状態で２枚のフイルムと緊張支持フイルムの縁辺を一体に加熱溶着して緊張支持フイルムに支えられた開口通路を保持させることを特徴とする流体収納袋体の注ぎ口形成方法
【発明の詳細な説明】
【技術分野】
【０００１】
本発明は、飲料、洗剤その他の流体を収納するための収納袋体に関し、特に、その注ぎ口構造及び注ぎ口形成方法に関する。
【背景技術】
【０００２】
飲料や液体洗剤等の流体収納容器は通常、専用の飲み口や開閉具を取付けたポットなどの固形容器を使用するが、内容物を使いきる毎に新しい容器と交換するのはコスト高になる。このため、予め簡単な詰め替えパッケージに充填した同種の流体を補充して費用の節減をしている。また、詰め替えパッケージの種類やデザインの多様化により、いろいろな工夫がなされ、詰め替えパッケージをそのまま注ぎ口のついた容器として使用する傾向も見られるようになっている。
【発明の開示】
【発明が解決しようとする課題】
【０００３】
従来の詰め替えパッケージは、表裏２枚の袋用フイルムの縁辺を溶着した袋体の一部に、先端縁辺を一体に溶着した注出部を設け、詰め替えの際は、注出部先端を切り取って内容物を注出していた。
ところが、詰め替えパッケージの素材は合成樹脂フイルムやアルミ箔などの薄膜であるため、注出部の表裏フイルムが張りついて思うように注出されなかったり、逆に急激に内容物が多量に流出したりして、特に、適量を注出するには使い勝手に問題があった。
【０００４】
注出を円滑にするため、注出部に予め筒体を挿入して溶着することが試みられているが、この場合は別途に注出部の寸法に適合した筒体を用意する必要があり、コスト高になるとともに、筒体の周囲にフイルムを液密に溶着することが難しいため、液洩れが生ずることもあった。
【０００５】
従って、本発明の第１の目的は、注出部のフイルム素材自体を利用した簡単な部材で、注出時の開口通路が確実に保持される流体収納袋体の注ぎ口構造を提供することにある。
【０００６】
本発明の第２の目的は、上記注ぎ口を形成する方法を提供することにある。
【課題を解決するための手段】
【０００７】
上記第１の目的を達成するめに、本発明による流体収納袋体の注ぎ口構造は、表裏の袋用フイルムを重ね合わせて周囲縁辺を袋体に密閉し、縁辺の一部に、先端を切り取って注ぎ口を形成する流体フイルムパッケージの注ぎ口であって、注ぎ口部を構成する２枚のフイルム間の軸方向に緊張支持フイルムを挟み、少なくとも一方のフイルムを外側に撓ませて緊張支持フイルムとの間に中空部を形成して２枚のフイルムと緊張支持フイルムの左右縁辺を一体に溶着し、注ぎ口部先端を切り取ったときに注ぎ口フイルムと緊張支持フイルム間に開口通路が保持されるようにしたことを特徴とする。
【０００８】
上記第２の目的を達成するために、本発明の注ぎ口形成方法は、表裏の袋用フイルムを重ね合わせて周囲縁辺を袋体に密閉し、縁辺の一部に先端を切り取ったときに開口通路を保持した注ぎ口を形成する方法において、注ぎ口を構成する２枚のフイルム間軸方向に緊張支持フイルムを介在させるとともに、２枚のフイルムの少なくとも一方を吸引して緊張支持フイルムとの間に撓みを形成し、この状態で２枚のフイルムと緊張支持フイルムの縁辺を一体に加熱溶着して緊張支持フイルムに支えられた開口通路を保持させることを特徴とする。
【発明の効果】
【０００９】
本発明による流体収納袋体の注ぎ口は、注ぎ口軸方向（注出方向）の左右縁辺間に緊張支持フイルムが一体に溶着接合され、立体的に撓み又は空間を持たせた少なくとも一方の注ぎ口フイルムが緊張支持フイルムによって立体状態に保持される。このため、注ぎ口の先端を切り取り線に沿って切り開いたときに、緊張支持フイルムと注ぎ口フイルムの間に開口通路が形成され内容物流体を円滑に注ぎ出すことができる。
【００１０】
緊張支持フイルムを介在させたことによって、注ぎ口が袋本体の基部を含めて機械的に補強されるので注ぎ口が左右に振れることなく安定する。
【００１１】
本発明による注ぎ口は、表裏２枚の袋用フイルムの縁辺を溶着する際に、注出部のフイルム縁辺間に緊張支持フイルムを挟んで内側を長手方向に区画し、表裏フイルムの一方又は双方を外側に吸引して撓ませながら２枚のフイルムの周囲縁辺を一体に加熱溶着するだけで形成されるので工程が簡単で、袋体フイルムの素材のみで注ぎ口に通路が確保される。
【発明を実施するための最良の形態】
【００１２】
以下、本発明の実施例を添付の図面に基づいて説明する。
図１及び図２は本発明による流体収納袋体１の要部側面を示すもので、袋体１は、合成樹脂フイルム、アルミ箔などの材質からなる表裏２枚の袋用フイルム２、３を重ね合わせ、内容物注入部（図は省略）を除く相互の縁辺４を加熱等の手段で溶着接合し、注入部から内容物を充填した後、密閉して詰め替え用流体収納容器として使用される。
【００１３】
この流体収納袋体１は上部に周囲縁辺を溶着密閉して突出させた注ぎ口部５を一体に有し、注ぎ口部５の切り取り線６に沿って切り開くことにより注ぎ口部５が開放するようになっている。
【００１４】
この場合に、注ぎ口部５の中間フイルム間に何も介在していないと注ぎ口部５の注ぎ口フイルム５ａ、５ｂが張り付いて流体がスムーズに流れ出にくくなる。この問題を改善するために、本発明は注ぎ口部５の切り取り線６から注ぎ口部５の基部内側付近にいたる縁辺間の長手方向（軸方向）に、縁辺と平行な緊張支持フイルム７を介在させるとともに、図３のように、緊張支持フイルム７の左右注ぎ口フイルム５ａ、５ｂを外側に撓ませて緊張支持フイルム７の両端縁辺を注ぎ口フイルム５ａ及び５ｂの縁辺に挟んで一体に密閉接合（溶着等）し、これにより、注ぎ口フイルム５ａ、５ｂと緊張支持フイルム７間にそれぞれ開口通路８が形成されるようにしてある。
【００１５】
図の実施例では注ぎ口部５を袋体１の片角傾斜縁辺に突出させ、緊張支持フイルム７を切り取り線６の下方から注ぎ口部５の基部傾斜縁辺まで延在させている。このような構成にすることにより、注ぎ口部５と袋体１本体の結合力が強化され、注ぎ口部５の方向性が安定し、横揺れがなくなる。
【００１６】
かくして、図２に示すように、注ぎ口部５の切り取り線６を開くと、注ぎ口部５は緊張支持フイルム７と注ぎ口フイルム５ａ、５ｂ間に緊張支持フイルム７に支えられた開口通路８が保持され、内容物１４の注出口が確保される。
なお、図の実施例は緊張支持フイルム７の両側の注ぎ口フイルム５ａ、５ｂを撓ませて左右対の開口通路８を形成する場合を例示したが、片側だけに形成してもよい。
【００１７】
図３は、上記注ぎ口部５を冶具９を用いて製作する方法の一例を示すもので、この冶具９は先端に略Ｖ字形凹溝１０を形成し、中央部にこの凹溝１０と連通する空気吸引口１１を形成して相対向する二つ割りの撓み形成器１２ａ、１２ｂと、撓み形成器１２ａ、１２ｂの両側に沿って配置され、注ぎ口フイルム５ａ、５ｂの縁辺に両側から当接する二つ割りの溶着器１３ａ、１３ｂを備えている。
【００１８】
溶着器１３ａ、１３ｂは加熱あるいは超音波等の溶着手段で間のフイルムを接合するもので、上端は円弧状に連結して注ぎ口部５の先端密閉部を形成するようになっており、また、撓み形成器１２ａ、１２ｂは、好ましくは、緊張支持フイルム７と同等の寸法Ｌに設定されている。
【００１９】
かくして、注ぎ口部５の注ぎ口フイルム５ａ、５ｂ間に緊張支持フイルム７を挟み、二つ割り冶具９を注ぎ口フイルム５ａ、５ｂへ対向配設する。次に撓み形成器１２ａ、１２ｂの吸引口１１から空気を吸引して注ぎ口フイルム５ａ、５ｂに撓みによる開口通路８を保持させた状態で緊張支持フイルム７を挟持した注ぎ口部５の左右縁辺を一体に溶着することにより、図１の本発明の流体収納袋体１が形成される。
【００２０】
また、上記のようにして形成された詰め替え用の袋体１に内容物を充填して注ぎ口部５を切り取り線６に沿って切り取ると、図２に示すように、注ぎ口フイルム５ａ、５ｂと緊張支持フイルム７間に開口通路８が保持され、詰め替えの際に内容物１４がスムーズに流出する。
【産業上の利用可能性】
【００２１】
以上のように、本発明は袋体の素材を変形させて流出通路と強度を確保した使い勝手のよい流体収納袋体が得られ、保存、詰め替え容器として広い分野で利用できる。
【図面の簡単な説明】
【００２２】
【図１】本発明による流体収納袋体の側面図
【図２】本発明による流体収納袋体の注ぎ口構造説明図
【図３】本発明による流体収納袋体の注ぎ口成形工程説明図
【符号の説明】
【００２３】
１…流体収納袋体
２、３…袋用フイルム
４…縁辺
５…注ぎ口部
５ａ、５ｂ…注ぎ口フイルム
６…切り取り線
７…緊張支持フイルム
８…開口通路
９…冶具
１０…凹溝
１１…吸引口
１２ａ、１２ｂ…撓み形成器
１３ａ、１３ｂ…溶着器
１４…内容物
【図１】
2006076634.tif 000003
【図２】
2006076634.tif 000004
【図３】
2006076634.tif 000005